(57)【特許請求の範囲】
【請求項１】
融資額、利率、月数の各項目データを入力する入力手段と、
この入力手段によって入力された各項目データを記憶する項目記憶手段と、
この項目記憶手段に記憶された各項目データの利率および月数のデータに基づいて、金融計算式によって定められた分母式の計算を行う分母式計算手段と、
前記項目記憶手段に記憶された各項目データの利率のデータに基づいて、前記金融計算式の分子式の計算を行う分子式計算手段と、
この分子式計算手段によって得られた前記分子式の数値に所定の整数値を加算した後、同じ整数値を減算して前記分子式の数値の桁数を調整する桁数調整手段と、
この桁数調整手段によって調整された前記分子式の数値を前記分母式計算手段によって得られた前記分母式の数値で除算して返済額の係数を算出する係数算出手段と、
この係数算出手段によって得られた係数に前記項目記憶手段に記憶された各項目データの融資額のデータを積算して月々の返済額を算出すると共に、その返済額に月数のデータを積算して返済総額を算出する返済額算出手段と、
この返済額算出手段によって得られた返済額および返済総額を表示する表示手段と
を具備したことを特徴とする電子計算装置。
【請求項２】
入力されたデータに基づいて計算を実行する電子計算装置に用いられる計算処理プログラムを記録した記録媒体であって、前記電子計算装置のコンピュータを、
融資額、利率、月数の各項目データを入力する入力手段、
この入力手段によって入力された各項目データを記憶する項目記憶手段、
この項目記憶手段に記憶された各項目データの利率および月数のデータに基づいて、金融計算式によって定められた分母式の計算を行う分母式計算手段、
前記項目記憶手段に記憶された各項目データの利率のデータに基づいて、前記金融計算式の分子式の計算を行う分子式計算手段、
この分子式計算手段によって得られた前記分子式の数値に所定の整数値を加算した後、同じ整数値を減算して前記分子式の数値の桁数を調整する桁数調整手段と、
この桁数調整手段によって調整された前記分子式の数値を前記分母式計算手段によって得られた前記分母式の数値で除算して返済額の係数を算出する係数算出手段、
この係数算出手段によって得られた係数に前記項目記憶手段に記憶された各項目データの融資額のデータを積算して月々の返済額を算出すると共に、その返済額に月数のデータを積算して返済総額を算出する返済額算出手段、
この返済額算出手段によって得られた返済額および返済総額を表示する表示手段、
として機能させるためのプログラムを記録したコンピュータ読み取り可能な記録媒体。
【発明の詳細な説明】
【０００１】
【発明の属する技術分野】
本発明は、入力される数値データに基づいて計算を実行する電子計算装置及び記録媒体に関する。
【０００２】
【従来の技術】
従来、例えば小型電子計算機等の電子計算装置では、金融計算機能を備えたものがある。これは、住宅ローンなどの月々の返済額を自動的に計算する機能であり、「融資額」、「利率」、「月数」といった各項目データをユーザが入力することで、その月々の返済額および返済総額を所定の計算式に違って自動計算するものである。
【０００３】
この金融計算機能では、「ローン月々計算」の他、「ローンボーナス計算」、「段階金利ローン月々計算」、「段階金利ローンボーナス計算」、「段階金利ローンゆとり月々計算」、「段階金利ローンゆとりボーナス計算」などの種々の計算を行うことができる。
なお、「ゆとり計算」とは、住宅金融公庫における返済方法の１つであり、例えば最初の５年を５０年間で返済すると仮定した計算である。
【０００４】
【発明が解決しようとする課題】
ところで、電子計算機では、メモリ容量の関係上、記憶できる数値の桁数が予め決められているため、その桁数を越える計算のときに、所謂「桁落ち」が生じることになる。
【０００５】
特に、計算結果で得られた数値データが負数である場合、正規化してメモリに記憶するものにおいては、メモリの記憶桁数が１２桁とすると、「０．００１２３」は「１．２３×１０-3」と表現することができるため、桁落ちはない。また、「０．００００００００００１２３４５６７８９」は「１．２３４５６７８９×１０-11 」と表現することができるため、桁落ちはない。
【０００６】
しかしながら、計算過程において、前記「０．００００００００００１２３４５６７８９」に「１」を加える計算では、計算結果が「１．００００００００００１…」といったような整数になり、正規化されないため、メモリの桁数の１２桁を越えてしまう。このため、「１．００００００００００１」がメモリに記憶されるため、以降の「…２３４５６７８９」については桁落ちとなり、メモリから消えてしまい、後の計算に反映されない。
【０００７】
このような桁落ちは数値が小さい程生じ易く、前述した各種の金融計算でも、この桁落ちは避けられない。このため、計算上、誤差が大きくなり、正確な返済額を得ることができない問題があった。
【０００８】
本発明はこのような点に鑑みなされたもので、計算過程において桁落ちが生じても、より正確な計算結果を算出することのできる電子計算装置及び記録媒体を提供することを目的とする。
【００１１】
【課題を解決するための手段】
すなわち、本発明の請求項１に係る電子計算装置は、融資額、利率、月数の各項目データを入力する入力手段と、この入力手段によって入力された各項目データを記憶する項目記憶手段と、この項目記憶手段に記憶された各項目データの利率および月数のデータに基づいて、金融計算式によって定められた分母式の計算を行う分母式計算手段と、前記項目記憶手段に記憶された各項目データの利率のデータに基づいて、前記金融計算式の分子式の計算を行う分子式計算手段と、この分子式計算手段によって得られた前記分子式の数値に所定の整数値を加算した後、同じ整数値を減算して前記分子式の数値の桁数を調整する桁数調整手段と、この桁数調整手段によって調整された前記分子式の数値を前記分母式計算手段によって得られた前記分母式の数値で除算して返済額の係数を算出する係数算出手段と、この係数算出手段によって得られた係数に前記項目記憶手段に記憶された各項目データの融資額のデータを積算して月々の返済額を算出すると共に、その返済額に月数のデータを積算して返済総額を算出する返済額算出手段と、この返済額算出手段によって得られた返済額および返済総額を表示する表示手段とを具備したことを特徴とする。
【００１２】
このような構成によれば、利率および月数のデータに基づいて金融計算式の分母式の計算が行われ、利率のデータに基づいて金融計算式の分子式の計算が行われる。その際、分子式の数値に所定の整数値（例えば１）が加算および減算されて当該分子式の数値の桁数が調整される。そして、この調整後の分子式の数値と分母式の数値に基づいて返済額の係数が算出され、その係数に融資額のデータを積算した月々の返済額と、その返済額に月数のデータを積算した返済総額が表示される。
【００１３】
このように、分子式に整数値を加減して、小数点以下の数値を調整することで、より正確な返済額を求めことができ、その数値をユーザに提示することができる。
【００１７】
【発明の実施の形態】
以下、図面を参照して本発明の一実施形態を説明する。
図１は本発明の一実施形態に係る電子計算装置の構成を示すブロック図である。なお、本装置は、例えば磁気ディスク等の記録媒体１に記録されたプログラムを磁気ディスク装置等の記録媒体読取り部２によって読み込み、このプログラムによって動作が制御されるコンピュータによって実現される。
【００１８】
図１に示すように、本装置は、ＣＰＵ１１を備えている。このＣＰＵ１１は、本装置全体の制御を行うものであり、入力指示に従ったプログラムの起動により計算処理を実行する。このＣＰＵ１１には、ＲＯＭ１２、ＲＡＭ１３、入力部１４、表示駆動回路１５等が接続されている。
【００１９】
ＲＯＭ１２は、金融計算を行うためのプログラム等の各種の情報を記憶している。ＲＡＭ１３は、ＣＰＵ１１の処理動作に必要な各種の情報を記憶する。このＲＡＭ１３の構成を図２に示す。
【００２０】
図２に示すように、ＲＡＭ１３には、表示レジスタ１３ａ、入力レジスタ１３ｂ、項目値格納領域１３ｃ、計算値領域１３ｄが設けられている。
表示レジスタ１３ａには、表示データが格納される。入力レジスタ１３ｂには、各種入力データが格納される。項目値格納領域１３ｃには、ユーザによって入力された「融資額」，「月数」，「利率」からなる各項目データが格納される。計算値領域１３ｄには、後述する金融計算時に求められるＡ〜Ｊの値が格納される。
【００２１】
また、入力部１４は、データを入力するための入力装置である。この入力部１４には、「０」〜「９」といった数値を入力するためのテンキー１４ａの他、「ゆとり返済」，「通常返済」，「ローン」，「複利」などの金融計算に関する各種ファンキションキーからなる金融計算キー１４ｂが設けられている。
【００２２】
表示駆動回路１５は、ＣＰＵ１１から出力される表示制御信号に基づいて表示部１６を駆動する。表示部１６は、液晶表示装置からなり、入力されたデータや計算結果を表示する。
【００２３】
次に、本装置を用いて金融計算を行うときの操作手順について説明する。
例えば「ローン月々計算」を行う場合には、図３に示すように、まず、「ユウシガク  円？」といったようなガイダンスが前回の入力値と共に表示される（ステップＳ１１）。このガイダンスに従って融資額をキー入力する（ステップＳ１２）。
【００２４】
次に、「リリツ  ％？」といったようなガイダンスが前回の入力値と共に表示される（ステップＳ１３）。このガイダンスに従って利率をキー入力する（ステップＳ１４）。
【００２５】
次に、「ツキスウ  カイ？」といったようなガイダンスが前回の入力値と共に表示される（ステップＳ１５）。このガイダンスに月数をキー入力する（ステップＳ１６）。
【００２６】
このようにして、「融資額」、「利率」、「月数」といった各項目データをガイダンスに従って順次入力することにより、後述する金融計算処理によって、月々の返済額および返済総額が自動的に計算され、それらの数値が表示される（ステップＳ１７，Ｓ１８）。
【００２７】
次に、本発明の金融計算処理を説明する前に、理解を容易にするため、本発明の計算方法を従来の計算方法と比較しながら説明する。
例えば「ローン月々計算」を行う場合において、従来は、図４（ａ）に示すような分母式および分子式から計算式に基づいて係数を求め、これに「融資額」を掛けて月々の返済額を算出していた。これに対し、本発明は、同図（ｂ）に示すような分母式および分子式から計算式に基づいて係数を求め、これに「融資額」を掛けて月々の返済額を算出する。両者とも分母式は同じであるが、分子式が異なる。
【００２８】
すなわち、電子計算機では、メモリ容量の関係上、記憶できる数値の桁数が予め決められているため、その桁数を越える計算のときに、所謂「桁落ち」が生じる。前記両者の計算式では、分母式において、利率を１２００（年１２回×１００）で割った少数点以下の小さい値に１を加えるため、そこで「桁落ち」が生じる可能性がある。
【００２９】
図４（ａ）に示す従来の計算式では、分子式にて、単に「利率」を１２００で割っているため、桁落ちはない。しかし、このような分子式の値（桁落ちなし）を分母式の値（桁落ちあり）で割ると、正確な値が得られない、といった現象が生じる。
【００３０】
一方、図４（ｂ）に示す本発明の計算式では、分子式にて、「利率」を１２００で割った値に１を加えた後、１を引くといった処理を行っているので、分母式と同じような桁落ちが生じることになる。このような分子式の値（桁落ちあり）を分母式の値（桁落ちあり）で割ることにより、より正確な値を得ることができる。
【００３１】
具体的に説明すると、例えば利率が「０．００１」、月数が「２」回であるととすると、図５（ａ）に示すように、従来の計算式では、以下のような計算結果となる。なお、有効桁数は「１２」桁とする。
【００３２】
分母＝１．６６６６５８×１０-6
分子＝８．３３３３３３３３３３３×１０-7
分子／分母＝０．５００００２６
これに対し、同図（ｂ）に示すように、本発明の計算式では、以下のような計算結果となる。
【００３３】
分母＝１．６６６６５８×１０-6
分子の値
利率／１２００＝８．３３３３３３３３３３３×１０-7
１＋（利率／１２００）＝１．００００００８３３３３
１＋（利率／１２００）−１＝８．３３３３×１０-7
分子／分母＝０．５０００００６
真値は「０．５０００００６２５」であるので、本発明の計算式の方がより正確な値になることが分かる。
【００３４】
なお、このような手法は、前述したような「ローン月々計算」に限らず、例えば「ローンボーナス計算」、「段階金利ローン月々計算」、「段階金利ローンボーナス計算」、「段階金利ローンゆとり月々計算」、「段階金利ローンゆとりボーナス計算」などの各種計算にも適用することができる。
【００３５】
図６に本装置にて実行される各種計算式を示す。
図６（ａ）は「ローン月々計算」における月々の返済額を求めるときの計算式、同図（ｂ）は「ローンボーナス計算」におけるボーナス時の返済額を求めるときの計算式である。
【００３６】
同図（ｃ）は「段階金利ローン月々計算」における初期段階（例えば１年〜１０年）での月々の返済額を求めるときの計算式、同図（ｄ）は「段階金利ボーナス計算における初期段階（例えば１年〜１０年）でのボーナス時の返済額を求めるときの計算式である。
【００３７】
同図（ｅ）は「段階金利ローンゆとり月々計算」における初期段階（例えば１年〜５年）での月々の返済額を求めるときの計算式、同図（ｆ）は「段階金利ボーナス計算における初期段階（例えば１年〜５年）でのボーナス時の返済額を求めるときの計算式である。
【００３８】
各計算式ともに、その分子式に同じ整数値（例えば１）を加算および減算して、小数点以下の数値を調整していることが特徴である。
次に、同実施形態の動作を説明する。
【００３９】
図７は同実施形態における金融計算の処理動作を示すフローチャートである。ここでは、ローン月々計算を行う場合を想定して説明する。
ローン月々計算を行うに際し、ユーザは入力部１４を通じて、ローン月々計算に必要な「融資額」，「月数」，「利率」といった各項目データを表示部１６に表示されるガイダンスに従って順次入力する（ステップＡ１１〜Ａ１４）。
【００４０】
なお、実際には、前回入力されていた「融資額」，「月数」，「利率」の値が各項目入力時に表示され、その都度、新たなデータを入力し直すといった操作を行う。ここで入力された各項目データは、ＣＰＵ１１を介してＲＡＭ１３の項目値格納領域１３ｃの各項目領域に格納される。
【００４１】
全データの入力が終了すると（ステップＡ１３のＹｅｓ）、ＣＰＵ１１は図４（ｂ）に示す分母式と分子式からなる計算式に従って以下のような計算処理を実行する。
【００４２】
すなわち、まず、当該計算式の分母式の計算を行うため、ＣＰＵ１１は「利率」に関する入力値を項目値格納領域１３ｃから読み出し、これをローン月々計算で規定されている１２００（年１２回×１００）で除算した値Ａを求め、これをＲＡＭ１３の計算値領域１３ｄのＡ領域に格納する（ステップＡ１５）。
【００４３】
続いて、ＣＰＵ１１は、前記値Ａに１を加算した値Ｂを求め、計算値領域１３ｄのＢ領域に格納した後（ステップＡ１６）、「月数」に関する入力値を項目値格納領域１３ｃから読み出し、前記値Ｂを「−月数」乗した値Ｃを求め、計算値領域１３ｄのＣ領域に格納する（ステップＡ１７）。そして、ＣＰＵ１１は、１から前記値Ｃを減算した値Ｄを求め、計算値領域１３ｄのＤ領域に格納する（ステップＡ１８）。この値Ｄが分母式の計算結果である。
【００４４】
次に、当該計算式の分子式の計算を行うため、ＣＰＵ１１は再び「利率」に関する入力値を項目値格納領域１３ｃから読み出し、これをローン月々計算で規定されている１２００（年１２回×１００）で除算した値Ｅを求め、これをＲＡＭ１３の計算値領域１３ｄのＥ領域に格納する（ステップＡ１９）。
【００４５】
ここで、ＣＰＵ１１は前記値Ｅに対し、整数値「１」を加算した値Ｆを求め、これを計算値領域１３ｄのＦ領域に格納すると共に（ステップＡ２０）、その値Ｆから整数値「１」を減算した値Ｇを求めて計算値領域１３ｄのＧ領域に格納する（ステップＡ２１）。この値Ｇが分子式の計算結果である。
【００４６】
このようにして、（利率÷１２００）の値Ｅに対し、整数値「１」を加算および減算することにより、分子の値を分母で生じる桁落ちに合わせた値に調整する。
【００４７】
調整後、ＣＰＵ１１は前記ＧおよびＤの値を計算値領域１３ｄより読み出し、ＧをＤで除算することにより、その値Ｈを計算値領域１３ｄのＨ領域に格納する（ステップＡ２２）。この値Ｈが月々の返済額を求めるときの係数となる。
【００４８】
その後、ＣＰＵ１１は「融資額」に関する入力値を項目値格納領域１３ｃから読み出し、これに前記Ｈを積算した値Ｉを求めて計算値領域１３ｄのＩ領域に格納すると共に（ステップＡ２３）、「月数」に関する入力値を項目値格納領域１３ｃから読み出し、これに前記Ｉを積算した値Ｊを求めて計算値領域１３ｄのＪ領域に格納する（ステップＡ２４）。
【００４９】
そして、ＣＰＵ１１は前記値Ｉを月々の返済額として表示部１６に表示すると共に、前記値Ｊを返済総額として表示部１６に表示する（ステップＡ２５）。詳しくは、前記値Ｉおよび値Ｊの数値データを表示レジスタ１３ａにセットし、その数値データを表示するための表示制御信号を表示駆動回路１５に出力して表示部１６に対する表示を行う。この場合、表示部１６は２行表示可能な構造を有し、前記月々の返済額および返済総額を同時に表示できるものとする。
【００５０】
このように、ローン月々計算を行う場合に、その計算式の分子式に整数値「１」を加算および減算して、小数点以下の数値を調整することで、より正確な返済額を求めことができ、その数値をユーザに提示することができる。
【００５１】
なお、前記実施形態では、分子式に整数値の「１」を加算および減算することで小数点以下の数値を調整したが、「１」以外の整数値であっても、同数を加減することにより、前記同様の効果を得ることができる。
【００５２】
また、このような整数値の加減による方法の他に、例えば図４（ａ）に示す計算式を用いた場合に、分母式の小数点以下の有効桁数を記憶しておき、分子式でその記憶された有効桁数以下を切り捨てるような方法を用いても良い。以下に、この方法も用いた場合の処理動作について説明する。
【００５３】
図８は他の実施形態としての金融計算処理の動作を示すフローチャートである。ここでは、前記図７と同様にローン月々計算を例にして説明する。
ローン月々計算を行うに際し、ユーザは入力部１４を通じて、ローン月々計算に必要な「融資額」，「月数」，「利率」といった各項目データを表示部１６に表示されるガイダンスに従って順次入力する（ステップＢ１１〜Ｂ１４）。
【００５４】
なお、実際には、前回入力されていた「融資額」，「月数」，「利率」の値が各項目入力時に表示され、その都度、新たなデータを入力し直すといった操作を行う。ここで入力された各項目データは、ＣＰＵ１１を介してＲＡＭ１３の項目値格納領域１３ｃの各項目領域に格納される。
【００５５】
全データの入力が終了すると（ステップＢ１３のＹｅｓ）、ＣＰＵ１１は図４（ａ）に示す分母式と分子式からなる計算式に従って以下のような計算処理を実行する。
【００５６】
すなわち、まず、当該計算式の分母式の計算を行うため、ＣＰＵ１１は「利率」に関する入力値を項目値格納領域１３ｃから読み出し、これをローン月々計算で規定されている１２００（年１２回×１００）で除算した値Ａを求め、これをＲＡＭ１３の計算値領域１３ｄのＡ領域に格納する（ステップＢ１５）。
【００５７】
続いて、ＣＰＵ１１は、前記値Ａに１を加算した値Ｂを求め、計算値領域１３ｄのＢ領域に格納する（ステップＢ１６）。その際、ＣＰＵ１１は、前記値Ｂの小数点以下の有効桁数をＲＡＭ１３の空き領域に格納しておく（ステップＢ１７）。
【００５８】
その後、ＣＰＵ１１は「月数」に関する入力値を項目値格納領域１３ｃから読み出し、前記値Ｂを「−月数」乗した値Ｃを求め、計算値領域１３ｄのＣ領域に格納する（ステップＢ１８）。そして、ＣＰＵ１１は、１から前記値Ｃを減算した値Ｄを求め、計算値領域１３ｄのＤ領域に格納する（ステップＢ１９）。この値Ｄが分母式の計算結果である。
【００５９】
次に、当該計算式の分子式の計算を行うため、ＣＰＵ１１は再び「利率」に関する入力値を項目値格納領域１３ｃから読み出し、これをローン月々計算で規定されている１２００（年１２回×１００）で除算した値Ｅを求め、これをＲＡＭ１３の計算値領域１３ｄのＥ領域に格納する（ステップＢ２０）。
【００６０】
ここで、ＣＰＵ１１は前記値Ｅに対して、前記ＲＡＭ１３に格納された有効桁数以下の数値を切り捨てる処理を行い、その切り捨て後の値をＧとして、計算値領域１３ｄのＧ領域に格納する（ステップＢ２１）。この値Ｇが分子式の計算結果である。
【００６１】
このようにして、（利率÷１２００）の値Ｅに対し、分母式における（１＋（利率÷１２００）の値Ｂの小数点以下の有効桁数を切り捨てることにより、分子の値を分母で生じる桁落ちに合わせた値に調整する。
【００６２】
調整後、ＣＰＵ１１は前記ＧおよびＤの値を計算値領域１３ｄより読み出し、ＧをＤで除算することにより、その値Ｈを計算値領域１３ｄのＨ領域に格納する（ステップＢ２２）。この値Ｈが月々の返済額を求めるときの係数となる。
【００６３】
その後、ＣＰＵ１１は「融資額」に関する入力値を項目値格納領域１３ｃから読み出し、これに前記Ｈを積算した値Ｉを求めて計算値領域１３ｄのＩ領域に格納すると共に（ステップＢ２３）、「月数」に関する入力値を項目値格納領域１３ｃから読み出し、これに前記Ｉを積算した値Ｊを求めて計算値領域１３ｄのＪ領域に格納する（ステップＢ２４）。
【００６４】
そして、ＣＰＵ１１は前記値Ｉを月々の返済額として表示部１６に表示すると共に、前記値Ｊを返済総額として表示部１６に表示する（ステップＢ２５）。詳しくは、前記値Ｉおよび値Ｊの数値データを表示レジスタ１３ａにセットし、その数値データを表示するための表示制御信号を表示駆動回路１５に出力して表示部１６に対する表示を行う。この場合、表示部１６は２行表示可能な構造を有し、前記月々の返済額および返済総額を同時に表示できるものとする。
【００６５】
このように、ローン月々計算を行う場合に、その計算式の分子式の値を分母式における小数点以下の有効桁数で切り捨てるようにすれば、前記の方法のように分子式に整数値を加算および減算しなくとも、小数点以下の数値を調整することができる。これにより、より正確な返済額を求めことができ、その数値をユーザに提示することができる。
【００６６】
また、ここでは「ローン月々計算」を例にして説明したが、例えば「ローンボーナス計算」、「段階金利ローン月々計算」、「段階金利ローンボーナス計算」、「段階金利ローンゆとり月々計算」、「段階金利ローンゆとりボーナス計算」などの各種計算にも適用することができる。
【００６７】
なお、上述した各実施形態において記載した手法、つまり、図７に示すような金融計算処理や図８に示すような金融計算処理は、コンピュータに実行させることのできるプログラムとして、例えば磁気ディスク（フロッピーディスク、ハードディスク等）、光ディスク（ＣＤ−ＲＯＭ、ＤＶＤ等）、半導体メモリなどの記録媒体に書き込んで各種装置に適用したり、通信媒体により伝送して各種装置に適用することも可能である。本装置を実現するコンピュータは、記録媒体に記録されたプログラムを読み込み、このプログラムによって動作が制御されることにより、上述した処理を実行する。
【００６９】
【発明の効果】
以上のように本発明の請求項１によれば、金融計算式の分子式に整数値を加算および減算して、小数点以下の数値を調整することで、計算過程で桁落ちが生じても、より正確な返済額を求めことができ、その数値をユーザに提示することができる。
【図面の簡単な説明】
【図１】本発明の一実施形態に係る電子計算装置の構成を示すブロック図。
【図２】同実施形態におけるＲＡＭの内容を示す図。
【図３】同実施形態における金融計算を行うときの操作手順を示す図。
【図４】本発明の計算方法を従来の計算方法と比較して示す図。
【図５】前記図４の計算方法を説明するための具体例を示す図。
【図６】本発明の計算方法を用いた各種計算式を示す図。
【図７】同実施形態における金融計算の処理動作を示すフローチャート。
【図８】他の実施形態としての金融計算処理の動作を示すフローチャート。
【符号の説明】
１…記録媒体
２…記憶媒体読取り部
１１…ＣＰＵ
１２…ＲＯＭ
１３…ＲＡＭ
１３ａ…表示レジスタ
１３ｂ…入力レジスタ
１３ｃ…項目値格納領域
１３ｄ…計算値領域
１４…入力部
１４ａ…テンキー
１４ｂ…金融計算キー
１５…表示駆動回路
１６…表示部
【図１】
0003834962.tif 000002
【図２】
0003834962.tif 000003
【図３】
0003834962.tif 000004
【図４】
0003834962.tif 000005
【図５】
0003834962.tif 000006
【図６】
0003834962.tif 000007
【図７】
0003834962.tif 000008
【図８】
0003834962.tif 000009